(57)【要約】【課題】クリーンルームにも好適に使用することができ、しかも耐久性に優れ長寿命化を図ることができるダクトホースを提供する。【解決手段】このダクトホースのホース壁１は、ガラスクロス等からなる無機系繊維層５を、シリコン樹脂からなる目止め用の樹脂層６でコーティングするとともに、その外周側にポリエチレンテレフタレート（ＰＥＴ）樹脂フィルムからなる粉塵飛散防止用の樹脂層７を積層している。これにより、配管時や使用時における繰り返しの伸縮や屈曲、振動等により、ホース壁１同士或いはホース壁１と他部材とが擦れ合って、目止め用の樹脂層６から粉塵が発生することがあっても、その外周側に位置する粉塵飛散防止用の樹脂層７によって粉塵の外部への飛散を防止する。【選択図】図３
2007177835.tif 000002
【特許請求の範囲】
【請求項１】
無機系繊維層（５）を目止め用の樹脂層（６）でコーティングするとともに、その外周側に前記目止め用の樹脂層（６）から発生する粉塵の飛散を防止する粉塵飛散防止用の樹脂層（７）を積層したホース壁（１）を備えたことを特徴とするダクトホース。
【請求項２】
前記粉塵飛散防止用の樹脂層（７）は、ポリエチレンテレフタレート（ＰＥＴ）樹脂フィルムからなる請求項１記載のダクトホース。
【請求項３】
前記無機系繊維層（５）は、ガラスクロス又はシリカクロスからなる請求項１又は２記載のダクトホース。
【請求項４】
前記粉塵飛散防止用の樹脂層（７）を、前記ホース壁（１）の最外周に配置した請求項１乃至３のいずれかに記載のダクトホース。
【請求項５】
前記粉塵飛散防止用の樹脂層（７）の内周面側にアルミ蒸着層（８）を積層して、このアルミ蒸着層（８）と前記無機系繊維層（５）とを接着剤（９）を介して接着した請求項１乃至４のいずれかに記載のダクトホース。
【請求項６】
前記ホース壁（１）は、前記無機系繊維層（５）、目止め用の樹脂層（６）及び粉塵飛散防止用の樹脂層（７）を積層してなる帯状体（２）を螺旋状に巻回して、その先行する帯状体（２）と後続する帯状体（２）の側縁部（３）（３）同士を、同じく螺旋状に巻回した金属帯板材（４）を介してカシメ連結してなる請求項１乃至５のいずれかに記載のダクトホース。
【発明の詳細な説明】
【技術分野】
【０００１】
この発明は、主として温風や熱風といった高温流体の輸送用として使用されるダクトホースに関するものである。
【背景技術】
【０００２】
従来より、温風や熱風の輸送用として使用されるダクトホースとして、例えば目止め処理したガラスクロスからなる帯状体を螺旋状に巻回して、その先行する帯状体と後続する帯状体の側縁部同士を、同じく螺旋状に巻回した金属帯板材を介してカシメ連結してなるホース壁を備えたものが知られている。（例えば特許文献１、特許文献２参照。）
【０００３】
この種のダクトホースにおいては、ガラスクロスを目止めするコーティング材として、例えばアルミ粉や無機質材を含有したシリコン樹脂等が用いられている。
【０００４】
【特許文献１】特開昭５３−５０５２４号公報
【特許文献２】実開昭５５−１４５７８２号公報
【発明の開示】
【発明が解決しようとする課題】
【０００５】
しかしながら、従来のダクトホースでは、配管時や使用時における繰り返しの伸縮や屈曲、振動等により、ホース壁同士或いはホース壁と他部材とが擦れ合うことで、コーティング材が剥がれ落ちて樹脂粉塵やアルミ粉塵が飛散するといった不具合が生じることがあった。このため、空気の清浄度が所定レベル以下に維持されるようなクリーンルーム内においては、使用することができなかった。
【０００６】
また、繰り返しの伸縮や屈曲、振動等により、衝撃に対して脆いガラスクロスが切断して、ホース壁の破壊を招くこともあった。
【０００７】
この発明は、上記の不具合を解消するため、配管時や使用時における伸縮や屈曲、振動等の繰り返しに伴う粉塵の発生を抑えて、クリーンルームにも好適に使用することができ、しかも耐久性に優れ長寿命化を図ることができるダクトホースの提供を目的とする。
【課題を解決するための手段】
【０００８】
上記課題を解決するため、この発明のダクトホースは、無機系繊維層５を目止め用の樹脂層６でコーティングするとともに、その外周側に前記目止め用の樹脂層６から発生する粉塵の飛散を防止する粉塵飛散防止用の樹脂層７を積層したホース壁１を備えたことを特徴とする。
【０００９】
具体的に、前記粉塵飛散防止用の樹脂層７は、ポリエチレンテレフタレート（ＰＥＴ）樹脂フィルムからなる。また、前記無機系繊維層５は、ガラスクロス又はシリカクロスからなる。
【００１０】
さらに、前記粉塵飛散防止用の樹脂層７を、前記ホース壁１の最外周に配置している。さらにまた、前記粉塵飛散防止用の樹脂層７の内周面側にアルミ蒸着層８を積層して、このアルミ蒸着層８と前記無機系繊維層５とを接着剤９を介して接着している。
【００１１】
また、前記ホース壁１は、前記無機系繊維層５、目止め用の樹脂層６及び粉塵飛散防止用の樹脂層７を積層してなる帯状体２を螺旋状に巻回して、その先行する帯状体２と後続する帯状体２の側縁部３、３同士を、同じく螺旋状に巻回した金属帯板材４を介してカシメ連結してなる。
【発明の効果】
【００１２】
この発明のダクトホースでは、配管時や使用時における繰り返しの伸縮や屈曲、振動等により、ホース壁同士或いはホース壁と他部材とが擦れ合って、目止め用の樹脂層から粉塵が発生することがあっても、その外周側に位置する粉塵飛散防止用の樹脂層によって粉塵の外部への飛散を防止することができる。これにより、空気の清浄度が所定レベル以下に維持されるようなクリーンルーム内においても、好適に使用することができる。
【００１３】
特に、表面硬度が高く、表面滑り性及び耐熱性に優れたポリエチレンテレフタレート（ＰＥＴ）樹脂フィルムによって粉塵飛散防止用の樹脂層を構成することで、粉塵飛散防止用の樹脂層そのものが削れて粉塵が発生することもなく、信頼性をさらに高めることができる。しかも、粉塵飛散防止用の樹脂層を衝撃に対して脆い無機系繊維層の耐衝撃保護層としても機能させることができ、ホース壁の破壊を防いで、ダクトホースの長寿命化を図ることができる。
【００１４】
しかも、粉塵飛散防止用の樹脂層をホース壁の最外周に配置することで、ダクトホースの表面の滑りも良好になって、配管作業もスムーズに行うことができる。
【００１５】
さらに、粉塵飛散防止用の樹脂層と無機系繊維層との接着に際して、アルミ蒸着層を介在させることで、その接着強度を高めることができる。
【００１６】
また、螺旋状に巻回した帯状体の側縁部同士を、同じく螺旋状に巻回した金属帯板材を介してカシメ連結してホース壁を構成することで、ダクトホースを不定長に連続して生産することが可能となり、生産性を高めることができる。
【発明を実施するための最良の形態】
【００１７】
この発明の実施の形態について、図面を参照しつつ詳細に説明する。この発明の一実施形態に係るダクトホースは、温風や熱風といった高温流体の輸送用として用いられるものであって、図１及び図２に示すように、その略円筒状のホース壁１が、帯状体２を螺旋状に巻回して、その先行する帯状体２と後続する帯状体２の側縁部３、３同士を、同じく螺旋状に巻回した金属帯板材４を介してカシメ連結することによって構成されている。
【００１８】
帯状体２は、図３に示すように、無機系繊維層５の内周側を目止め用の樹脂層６でコーティングするとともに、その外周側に目止め用の樹脂層６から発生する粉塵の飛散を防止する粉塵飛散防止用の樹脂層７を積層したものである。
【００１９】
無機系繊維層５は、例えばガラスクロスからなり、目止め用の樹脂層６は、例えばアルミ粉含有のシリコン樹脂からなる。そして、目止め用の樹脂層６による無機系繊維層５のコーティングは、例えばアルミ粉含有のシリコンをガラスクロスの裏面に塗布して、ガラスクロスの織り目を目潰して気体非通過状態とすることでなされている。なお、無機系繊維層５は、ガラスクロスだけに限らず、シリカクロスによって構成しても良い。また、目止め用の樹脂層６は、アルミ粉含有のシリコン樹脂だけに限らず、その他の軟質樹脂によって構成しても良い。さらに、熱風を輸送するような耐熱性が要求される用途にダクトホースを使用する場合には、難燃化処理を施した樹脂や特殊耐熱塗料によって目止め用の樹脂層６を構成するのが望ましい。
【００２０】
粉塵飛散防止用の樹脂層７は、例えば表面硬度が高くて耐熱性に優れたポリエチレンテレフタレート（ＰＥＴ）樹脂フィルムからなる。この樹脂層７は、厚さ約１２ミクロンと非常に薄く、硬度が高いポリエチレンテレフタレート（ＰＥＴ）樹脂を素材としながらも、ホース壁１の柔軟性を損なわないように配慮されている。
【００２１】
そして、この粉塵飛散防止用の樹脂層７の内周面側には、アルミ蒸着層８が積層されて、このアルミ蒸着層８と無機系繊維層５とが接着剤９を介して接着されている。これにより、粉塵飛散防止用の樹脂層７と無機系繊維層５との接着強度を高めている。
【００２２】
なお、粉塵飛散防止用の樹脂層７は、ポリエチレンテレフタレート（ＰＥＴ）樹脂フィルムに限らず、例えばポリアミド、ポリテトラフルオロエチレン、ポリブチレンテレフタレート（ＰＢＴ）、ポリフェニレンサルファイド、熱可塑性ポリイミド、ポリエーテルイミド、ポリアミドイミド、ポリエーテルスルホン等の表面硬度が高くて耐熱性に優れた樹脂フィルムによって構成しても良い。
【００２３】
金属帯板材４は、図４に示すように、断面略Ｃ字状のステンレス鋼鈑からなり、その中間部１０と両端部１１、１１との間に、略Ｓ字状に折り返しした帯状体２の側縁部３、３を挟み込んだ状態で、両端部１１、１１を中間部１０側へ押し潰すようにかしめて扁平化することで、帯状体２の側縁部３、３同士を連結している。なお、このような金属帯板材４を連結用芯材として用いる代わりに、例えば螺旋状に巻回した樹脂製の連結用芯材を介して帯状体２の側縁部３、３同士を接着又は融着しても良い。
【００２４】
このようにして構成されたホース壁１においては、図３に示すように、その内周側から順に目止め用の樹脂層６、無機系繊維層５、接着剤９、アルミ蒸着層８、粉塵飛散防止用の樹脂層７が積層されていて、最外周に粉塵飛散防止用の樹脂層７が配置された状態となっている。
【００２５】
従って、このホース壁１を備えたダクトホースでは、配管時や使用時における繰り返しの伸縮や屈曲、振動等により、ホース壁１同士或いはホース壁１と他部材とが擦れ合って、目止め用の樹脂層６から樹脂粉塵やアルミ粉塵が発生することがあっても、その外周側に位置する粉塵飛散防止用の樹脂層７が防御シールドとして機能して、樹脂粉塵やアルミ粉塵の外部への飛散を防止することができる。これにより、空気の清浄度が所定レベル以下に維持されるようなクリーンルーム内においても、好適に使用することができる。
【００２６】
しかも、表面硬度の高い粉塵飛散防止用の樹脂層７は、衝撃に対して脆い無機系繊維層５の耐衝撃保護層としても機能するので、無機系繊維層５の摩耗や切断によるホース壁１の破れや孔開きなどの破壊を防いで、ダクトホースの長寿命化を図ることができる。さらに、ダクトホースの表面の滑りも良好となって、配管作業もスムーズに行うことができる。
【００２７】
なお、例えば図５に示すように、ＰＥＴ樹脂フィルムからなる樹脂層７の内外周側にアルミ蒸着層８、８を積層してなる内側帯状体２０と、同じくＰＥＴ樹脂フィルムからなる樹脂層７の内外周側にアルミ蒸着層８、８を積層してなる外側帯状体２１とを互いに非接着状態で重ね合わせたものを用いて、上記と同様にホース壁を構成することも開発途中における別構造のものとして検討したが、繰り返しの伸縮や屈曲に対して強度的に改良の余地があり、このため上記のように無機系繊維層５を用いるようにした。
【００２８】
以上にこの発明の具体的な実施の形態について説明したが、この発明は上記形態に限定されるものではなく、この発明の範囲内で種々変更して実施することができる。
【００２９】
例えば、ホース壁１の帯状体２の構成としては、図６に示すように、無機系繊維層５の内外周側を目止め用の樹脂層６、６でコーティングして、その外周側に粉塵飛散防止用の樹脂層７を非接着状態で積層させたものであっても良い。
【００３０】
さらに、ホース壁１の帯状体２の構成としては、図７に示すように、無機系繊維層５の内周側を目止め用の樹脂層６でコーティングして、その内外周側に粉塵飛散防止用の樹脂層７、７を積層して、内周側の粉塵飛散防止用の樹脂層７のさらに内周側に接着剤３０を介してアルミ箔層３１を積層させたものであっても良い。この場合、ホース内周側にも粉塵防止用の樹脂層７が存在するので、ダクトホース内部で搬送される温風や熱風の中に、粉塵が混入することを大幅に低減することができる。しかしながら、アルミ箔層３１は、繰り返しの伸縮や屈曲に対して金属疲労を起こして亀裂を生じ易い。そこで、アルミ箔層３１の代わりに、ホース内周側に位置する粉塵防止用の樹脂層７の外周側にアルミ蒸着層を設けても良い。このようにすることで、ダクトホースの軽量化、柔軟性の向上を図ることができる。
【図面の簡単な説明】
【００３１】
【図１】この発明の一実施形態に係るダクトホースの側面図である。
【図２】同じくその縦断面図である。
【図３】同じくそのホース壁の拡大縦断面図である。
【図４】同じくその金属帯板材部分の拡大縦断面図である。
【図５】開発途中の別構造のダクトホースにおけるホース壁の拡大縦断面図である。
【図６】他の実施形態に係るダクトホースのホース壁の拡大縦断面図である。
【図７】他の実施形態に係るダクトホースのホース壁の拡大縦断面図である。
【符号の説明】
【００３２】
１・・ホース壁、２・・帯状体、３・・側縁部、４・・金属帯板材、５・・無機系繊維層、６・・目止め用の樹脂層、７・・粉塵飛散防止用の樹脂層、８・・アルミ蒸着層、９・・接着剤
【図１】
2007177835.tif 000003
【図２】
2007177835.tif 000004
【図３】
2007177835.tif 000005
【図４】
2007177835.tif 000006
【図５】
2007177835.tif 000007
【図６】
2007177835.tif 000008
【図７】
2007177835.tif 000009